(57)【特許請求の範囲】
【請求項１】
電線が接続された複数の端子と、前記端子をそれぞれ収容する複数の端子収容室が並設されたコネクタハウジングと、前記各端子収容室の天井側の後端部から前方側へ延びて前記端子をそれぞれ係止するランスとを備え、
複数の前記端子収容室の隣り合う前記端子収容室の側壁は、互いに空間を介して対向配置され、
対向配置された一対の前記側壁には、それぞれ、前記端子収容室の天井側へ弾性変形可能に前記ランスに連設されてなる一対のアームと、前記一対のアーム同士を連結する連結部とが支持され、
一対の前記側壁の前記空間の下部に渡して設けられた底板と前記連結部との間に、前記端子と前記ランスの係止を解除する治具を挿入可能な隙間が形成されていることを特徴とする端子の係止構造。
【請求項２】
前記アームは、前記一対の側壁の後端から前方側へ延ばしてそれぞれの側壁にスリットを形成してなる天井側の側壁部であることを特徴とする請求項１に記載の端子の係止構造。
【請求項３】
前記一対の側壁には、それぞれ、前記アームから前記空間側に突出して前方側へ延びるリブが連設されている請求項１又は２に記載の端子の係止構造。
【請求項４】
請求項１乃至３のいずれかに記載の端子の係止構造を有するコネクタ。
【発明の詳細な説明】
【技術分野】
【０００１】
本発明は、コネクタハウジング内に収容された端子の係止構造とその係止構造を有するコネクタに関する。
【背景技術】
【０００２】
特許文献１には、端子が収容される複数の端子収容室と、各端子収容室に収容された端子を係止するランスとを備えた樹脂製のコネクタハウジングにおいて、端子抜き治具を各端子収容室に挿入してランスを押し広げ、端子の係止状態を解除して端子を引き抜くコネクタの端子抜き構造が提案されている。具体的には、端子収容室の相手側端子が挿入される入口側に形成された治具挿入室から端子抜き治具を挿入し、端子抜き治具の先端部を端子収容室の解除用壁部に押し当てて外側へ押し広げ、解除用壁部と連なるランスを係止解除位置まで変位させることにより、係止状態を解除して端子を引き抜くことが提案されている。
【先行技術文献】
【特許文献】
【０００３】
【特許文献１】特開２０１３−６９５４２号公報
【発明の概要】
【発明が解決しようとする課題】
【０００４】
しかしながら、特許文献１の端子抜き構造によれば、端子抜き治具（係止解除治具）を端子収容室に挿入する１回の作業で、１本の端子しか引き抜くことができない。そのため、例えば、多数の端子収容室が形成されたコネクタハウジングからすべての端子を引き抜く場合、端子収容室の数だけ端子抜き治具を端子収容室に挿入する作業が必要になり、特に小型のコネクタハウジングにおいては、作業負担が非常に大きくなるという問題があった。
【０００５】
本発明は、このような問題に鑑みてなされたものであり、端子収容室から端子を引き抜く作業を短縮できる端子の係止構造を提供することを課題とする。
【課題を解決するための手段】
【０００６】
上記課題を解決するため、本発明の端子の係止構造は、電線が接続された複数の端子と、この端子をそれぞれ収容する複数の端子収容室が並設されたコネクタハウジングと、各端子収容室の天井側の後端部から前方側へ延びて端子をそれぞれ係止するランスとを備え、複数の端子収容室の隣り合う端子収容室の側壁は、互いに空間を介して対向配置され、この対向配置された一対の側壁には、それぞれ、端子収容室の天井側へ弾性変形可能にランスに連設されてなる一対のアームと、この一対のアーム同士を連結する連結部とが支持され、一対の側壁の前記空間の下部に渡して設けられた底板と連結部との間に、端子とランスの係止を解除する治具を挿入可能な隙間が形成されていることを特徴とする。
【０００７】
これによれば、隣り合う端子収容室の対向配置された一対の側壁に、端子収容室の天井側へ弾性変形可能にランスに連設されてなる一対のアームと、一対のアーム同士を連結する連結部とが支持されていることから、連結部を持ち上げることで、両側壁のアームが持ち上げられ、各アームに支持されたランスが変位する。すなわち、連結部を持ち上げる１回の操作で、隣り合う端子収容室にそれぞれ収容された端子の係止状態が解除され、２本の端子を引き抜くことができるから、端子収容室から端子を引き抜く作業を短縮することができる。なお、アームを持ち上げる作業には、治具を用いることができる。つまり、側壁間の空間に挿入された端子とランスの係止を解除する治具（係止解除治具）の先端部を底板と連結部との間に差し込み、その先端部が連結部と当接するように係止解除治具を傾けることにより、係止解除治具の先端部が連結部と当接する部位を作用点、係止解除治具が底板と当接する部位を支点として、梃子の原理によって、連結部を簡単に持ち上げて、２本の端子とランスの係止を一度で解除することができる。
【０００８】
この場合において、アームは、対向配置された側壁の後端から前方側へ延びるスリットの天井側に形成されることが好ましい。これによれば、スリットによって各側壁の天井側にアームが形成されるから、アームの設計自由度を高めることができ、各側壁の構造を簡単化することができる。
【０００９】
また、対向配置された一対の側壁には、それぞれ、アームから互いに空間側に突出して前方側へ延びるリブが連設されていることが好ましい。これによれば、ランスの前方側をリブによって支持することができるから、側壁によるランスの支持力が強化され、ランスによる端子の係止力を向上させることができる。
【発明の効果】
【００１２】
本発明によれば、端子収容室から端子を引き抜く作業を短縮できる端子の係止構造を提供することができる。
【図面の簡単な説明】
【００１３】
【図１】本発明が適用される防水コネクタの分解斜視図である。
【図２】本発明が適用される防水コネクタの嵌合状態を示す断面図である。
【図３】図２の枠内を拡大して示す断面図である。
【図４】本発明が適用される雌コネクタの外観斜視図である。
【図５】図４のＡ−Ａ矢視方向の断面図である。
【図６】図４の正面図である。
【図７】図６のＢ−Ｂ矢視方向における雌端子を含む断面図である。
【図８】図６のＣ−Ｃ矢視方向の断面図である。
【発明を実施するための形態】
【００１４】
以下、本発明が適用される防水コネクタの実施形態について図面を参照して説明する。図１は、防水コネクタの分解斜視図であり、図２は、防水コネクタの嵌合状態を示す断面図である。なお、図２は、図面の複雑化を避けるため、端子を省略している。防水コネクタ１０は、図１に示すように、雄コネクタ１２と雌コネクタ１４とから構成され、雄コネクタ１２の雄ハウジング１６と雌コネクタ１４の雌ハウジング（コネクタハウジング）１８とを互いに嵌合させることにより、雄ハウジング１６に収容された雄端子２０と雌ハウジング１８に収容された雌端子２２とを互いに電気的に接続するものである。雌ハウジング１８は、雄ハウジング１６の内部に嵌合された状態で雄ハウジング１６にロックされるようになっている。本実施形態では、本発明の端子の係止構造を雌ハウジング１８に適用する例を説明するが、本発明の端子の係止構造は、雄型と雌型とに関係なく適用することができる。以下では、図１のＸ方向を前後方向、Ｙ方向を幅方向、Ｚ方向を高さ方向とし、両ハウジング１６，１８の嵌合方向をそれぞれ前方、図１の上側を上方として説明する。
【００１５】
雄ハウジング１６には、電線２４が接続された複数本（２本）の雄端子２０が収容され、雌ハウジング１８には、電線２６が接続された複数本（２本）の雌端子２２が収容される。雄ハウジング１６と雌ハウジング１８は、それぞれ端子を収容する複数個（２個）の端子収容室（後述）を有しているが、少なくとも、複数個の端子収容室が幅方向に配列されていればよく、高さ方向に複数列の端子収容室が形成されていてもよい。
【００１６】
雄コネクタ１２は、図１及び図２に示すように、絶縁性の合成樹脂で円筒状に形成された雄ハウジング１６と、雄ハウジング１６に後方から収容される２本の雄端子２０とを備えている。雄ハウジング１６は、２個の雄端子収容室２８が形成された筒状の基部３０と、基部３０から後方へ突出する電線保持部３２と、基部３０から前方へ突出するフード部３４とが一体的に形成されている。フード部３４は、基部３０の周壁と連なる周壁を有して筒状に形成され、内周面の前後方向に直交する断面が幅方向を長手とする長円形をなし、雌ハウジング１８が内部に挿入可能となっている。フード部３４は、内壁の前後方向に延びる案内溝３６と、前端面と面一に上方へ立ち上がる板状の壁部３８とを備えており、壁部３８は、下端から上方へ切り欠いて形成された一対の第１切り欠き部４０と、各第１切り欠き部４１の内側に位置して下端から上方へ切り欠いた第２切り欠き部４２とを有している。
【００１７】
雄端子収容室２８は、基部３０の幅方向に並設され、後方から挿入された雄端子２０を天井側から前方へ延びるランス（不図示）によって係止する。雄端子収容室２８は、フード部３４に包囲された基部３０の前端面４４に開口する開口４６と、電線保持部３２を前後方向に貫通する貫通孔４８とを連通させて形成されている。フード部３４の内部には、前端面４４の開口４６の周縁から開口４６を包囲するように前方へ突出する筒状の雄側環状部材５０が形成されている。雄側環状部材５０は、前後方向と直交する断面が幅方向を長手とする長円形に形成され、その外周面がフード部３４の内周面と周方向に亘って離れて配置され、前端面がフード部３４の前端面よりも後方に配置されている。
【００１８】
雄ハウジング１６は、前方へ伸延して基部３０に片持ち支持されたロックアーム５２を備えている。ロックアーム５２は、基部３０の幅方向の両側面から上方へ立設する一対の壁部５４に渡して支持された基端部５６と、基端部５６から前方へ延びるアーム部５８とを有している。ロックアーム５２は、基端部５６を支点として、アーム部５８の前端部が上方へ変位可能になっている。フード部３４の前端部から立ち上がる壁部３８は、ロックアーム５２を取り囲むように後方へ延設されて壁部５４と連なっている。
【００１９】
アーム部５８の前端下部には、図１及び図２に示すように、下方へ突出するロック部６０が形成されている。雄ハウジング１６と雌ハウジング１８との嵌合時において、雌ハウジング１８の外周面から突出する係止部６２は、雄ハウジング１６の第２切り欠き部４２を通過して、ロック部６０を弾性的に変位させた後、ロック部６０に係止される。これにより、雄ハウジング１６と雌ハウジング１８とがロックされる。
【００２０】
雄端子２０は、図１に示すように、導電性の金属板材で形成され、電線２４の芯線を圧着接続する電線接続部６４と、相手側の雌端子２２と接続する棒状の雄タブ６６とが一体的に形成されている。雄端子２０は、雄端子収容室２８に係止された状態で、雄タブ６６の先端部が前端面４４から突出する長さに設定されている。電線２４には、円環状のゴム栓６７が装着されている。このため、雄端子２０が雄端子収容室２８に収容されると、電線２４の外周面と電線保持部３２の貫通孔４８の内周面との隙間がゴム栓６７によってシールされる。
【００２１】
雌コネクタ１４は、図１及び図２に示すように、絶縁性の合成樹脂で円筒状に形成された雌ハウジング１８と、雌ハウジング１８に後方から収容される雌端子２２とを備えている。雌ハウジング１８は、外周面の前後方向と直交する断面が雄ハウジング１６のフード部３４の内周面と略相似形に形成され、フード部３４へ挿入可能になっている。雌ハウジング１８は、２個の雌端子収容室（端子収容室）６８が形成された基部７０と、基部７０から後方へ突出する電線保持部７２とが一体的に形成されている。
【００２２】
雌端子収容室６８は、雌ハウジング１８の幅方向に並設され、後方から挿入された雌端子２２を天井側から前方へ延びるランス（後述）によって係止する。雌端子収容室６８は、基部７０の前端面７４を開口する開口７６と、電線保持部７２を軸方向に貫通する貫通孔７８とを連通させて形成されている。
【００２３】
基部７０には、前端面７４の開口７６の周縁から開口７６を包囲するように前方へ突出する円筒状の雌側環状部材８０が形成されている。雌側環状部材８０は、外周面が基部７０の外周面に対して段付状に小さくなり、雄側環状部材５０の内周面と略相似形の断面を有し、前方へ先窄みとなる円錐台形状に形成されている。
【００２４】
雌ハウジング１８は、図２に示すように、基部７０の上面から突出する係止部６２と、基部７０の上面から前後方向に延びる一対の突条部８２と、基部７０の下面から突出して軸方向へ延びる段差部８４とを有している。雌ハウジング１８は、雄ハウジング１６との嵌合時において、一対の突条部８２が雄ハウジング１６の第１切り欠き部４０を通過するとともに、段差部８４が雄ハウジング１６の案内溝３６に案内されることによって、雄ハウジング１６に位置決めされながら挿入される。
【００２５】
雌端子２２は、図１に示すように、導電性の金属板材で形成され、電線２６の芯線を圧着接続する電線接続部８６と、雄端子２０の雄タブ６６が挿入接続される角筒状の電気接触部８８とが一体的に形成されている。雌端子２２は、雌端子収容室６８に収容され、ランス等に係止された状態で、電気接触部９３の前端部が基部７０の開口７６から前方へ突出しない長さに設定されている。電線２６には、円環状のゴム栓８９が装着されている。このため、雌端子２２が雌端子収容室６８に収容されると、電線２６の外周面と電線保持部７２の貫通孔７８の内周面との隙間がゴム栓８９によってシールされる。
【００２６】
ここで、雄側環状部材５０と雌側環状部材８０の構成について説明する。図３は、図２の枠内の拡大図である。雄側環状部材５０と雌側環状部材８０は、雄ハウジング１６と雌ハウジング１８との嵌合時において、全周方向で互いに押し付け合うことによって、雄端子２０と雌端子２２との接触部分を防水する。雄側環状部材５０は、内外周面の厚みが比較的小さく設定され、雌側環状部材８０よりも高い弾力性を有している。雄側環状部材の内周面９０の前端部は、前方へ末広がりとなる傾斜面９２を有している。雌側環状部材８０は、内外周面の厚みが比較的大きく設定されることにより、雄側環状部材５０よりも高い剛性を有している。雌側環状部材８０の外周面９４は、前方へ先窄みとなる円錐台形状に形成されている。
【００２７】
本実施形態では、雄ハウジング１６と雌ハウジング１８との嵌合時において、雄側環状部材５０の傾斜面９２に沿って、雌側環状部材８０が雄側環状部材５０の内部に案内される。雌側環状部材８０が雄側環状部材５０の内部に嵌合されると、雄側環状部材５０は、雌側環状部材８０の外周面９４に内周面９０が押し付けられて弾性変形し、このとき発生する弾性復元力によって内周面９０が雌側環状部材８０の外周面９４を押し付ける。これにより、雄側環状部材５０と雌側環状部材８０は、互いに水密に密着されるため、内部への水の浸入を防止する。
【００２８】
次に、本実施形態の特徴部である雌端子２２の係止構造について、図４〜図８を参照して説明する。図４は雌ハウジング１８を前方からみた外観斜視図、図５は図４のＡ−Ａ矢視方向の断面図、図６は図４の正面図、図７は図６のＢ−Ｂ矢視方向の断面図、図８は図６のＣ−Ｃ矢視方向の断面図である。なお、図４〜図７の雌ハウジング１８は、図１と上下方向が逆になっている。また、図４〜図６及び図８では、図面の複雑化を避けるため、雌端子２２を省略している。
【００２９】
雌ハウジング１８は、図４及び図５に示すように、基部７０及び雌側環状部材８０の内部に、雌端子２２がそれぞれ収容される雌端子収容室６８ａ，６８ｂが幅方向に並設している。雌端子収容室６８ａは、雄端子（相手側端子）２０の雄タブ６６が挿入される前方の入口側へ延びる側壁（一方の側壁）９６ａが雌ハウジング１８の内周面から立ち上げられて形成され、雌端子収容室６８ｂは、雄端子（相手側端子）２０の雄タブ６６が挿入される前方の入口側へ延びる側壁（他方の側壁）９６ｂが雌ハウジング１８の内周面から立ち上げられて形成されている。つまり、雌端子収容室６８ａ，６８ｂは、一対の側壁９６ａ，９６ｂで互いに仕切られて形成され、側壁９６ａと側壁９６ｂは、互いに空間Ｓを介して対向配置されている。
【００３０】
雌端子収容室６８ａ，６８ｂは、図５〜図７に示すように、それぞれ、雄端子２０が挿入される枠状の前方入口部９８ａ，９８ｂと、上方（天井側）の後端部から前方へ延びて雌端子２２を係止するランス１００ａ，１００ｂとを備えている。前方入口部９８ａ，９８ｂは、それぞれ側壁９６ａ，９６ｂに一部が支持されている。また、雌端子収容室６８ａ，６８ｂは、それぞれ、側壁９６ａ，９６ｂと対向する雌ハウジング１８の幅方向の内周面に、前方へ向かって段付き状に延びるレール部１０２ａ，１０２ｂが形成されている。各レール部１０２ａ，１０２ｂは、それぞれ、前方入口部９８ａ，９８ｂと雌ハウジング１８の内周面との隙間に入口部を有している。
【００３１】
側壁９６ａ，９６ｂは、それぞれ、高さ方向に立ち上げられた上端部が雌ハウジング１８の内周面と離れて配置され、その高さ方向の途中に後端から前方側へ延びるスリット１０４ａ，１０４ｂを有している。各側壁９６ａ，９６ｂは、スリット１０４ａ，１０４ｂの上方（天井側）にそれぞれ上方へ向かって弾性変形可能なアーム１０６ａ，１０６ｂが形成される。つまり、アーム１０６ａ，１０６ｂは、スリット１０４ａ，１０４ｂの開きが大きくなることで、雌ハウジング１８の内周面との間に形成された隙間の範囲内で、上方（天井側）への変位が可能になっている。
【００３２】
各側壁９６ａ，９６ｂは、図５に示すように、前方側へ延びる底板１０８と、底板１０８と対向して前方側と反対側の奥側（後方）に位置する連結部１１０とによって互いに連設されている。具体的に、底板１０８は、各側壁９６ａ，９６ｂの後端から前端に亘って、スリット１０４ａ，１０４ｂの下方、つまり、側壁９６ａ，９６ｂのアーム１０６ａ，１０６ｂと反対側の下部同士を渡して設けられ、連結部１１０は、側壁９６ａ，９６ｂの奥側で、スリット１０４ａ，１０４ｂの上方（天井側）の各アーム１０６ａ，１０６ｂ同士を渡して設けられる。連結部１１０は、底板１０８と空間を介して対向配置され、アーム１０６ａ，１０６ｂと一体的に上方への弾性変形が可能になっている。なお、図５では、左右のスリット１０４ａ，１０４ｂの形状が非対称となっているが、対称に形成されていてもよい。
【００３３】
各側壁９６ａ，９６ｂの連結部１１０と反対側のアーム１０６ａ，１０６ｂの後端部には、ランス１００ａ，１００ｂがそれぞれ連なって支持されている。ランス１００ａ，１００ｂは、それぞれ、幅方向の外側において、レール部１０２ａ，１０２ｂ、及び、レール部１０２ａ，１０２ｂと連なる雌ハウジング１８の内周面と離れて配置され、アーム１０６ａ，１０６ｂとともに、上方（天井側）への弾性変形が可能になっている。また、各アーム１０６ａ，１０６ｂには、ランス１００ａ，１００ｂと連続して前方へ延びるリブ１１２ａ，１１２ｂが連設されている。リブ１１２ａ，１１２ｂは、アーム１０６ａ，１０６ｂの上端部から互いに反対側に矩形状に延びて設けられている。ランス１００ａ，１００ｂは、それぞれ、アーム１０６ａ，１０６ｂに後端部が支持されるとともに、リブ１１２ａ，１１２ｂの幅方向外側の側面に支持されている。
【００３４】
各雌端子収容室６８ａ，６８ｂに後方から挿入された雌端子２２は、それぞれ、ランス１００ａ，１００ｂを天井側へ弾性変位させて、所定の収容位置に挿入される。このとき、各側壁９６ａ，９６ｂは、ランス１００ａ，１００ｂの変位に伴って、スリット１０４ａ，１０４ｂの上下方向の隙間が大きくなり、アーム１０６ａ，１０６ｂの後端部が上方へ弾性的に変位する。雌端子２２は、図７に示すように、弾性復帰したランス１００ａ，１００ｂに電気接触部８８の後端が係止されることで後方への移動が規制され、かつ、前方への移動が前方入口部９８ａ，９８ｂによって規制される。これにより、雌端子２２は、各雌端子収容室６８ａ，６８ｂの所定位置に位置決めされる。
【００３５】
本実施形態のランス１００ａ，１００ｂは、側壁９６ａ，９６ｂのアーム１０６ａ，１０６ｂに後端部が連設されて支持され、しかも、リブ１１２ａ，１１２ｂを介して前端部に至るまでの広い範囲がアーム１０６ａ，１０６ｂによって支持されている。そのため、ランス１００ａ，１００ｂは、雌端子収容室６８ａ，６８ｂに後端部だけが支持された従来の構造よりも強固に支持され、雌端子２２の係止力を高めることができる。
【００３６】
次に、このような雌端子２２の係止構造において、雌端子２２の係止状態を解除する構造について説明する。本実施形態の係止構造では、専用の係止解除治具１１４を用いることにより、各ランス１００ａ，１００ｂに係止された雌端子２２の係止状態を解除する。
【００３７】
係止解除治具１１４は、図５に示すように、作業者が把持する把持部１１６と、この把持部１１６より直状に突出する解除爪部１１８とを備えている。解除爪部１１８は、第１爪部１２０と第２爪部１２２との二股に分岐されて形成され、第１爪部１２０と第２爪部１２２は、突出する方向の長さが同一に設定されている。第１爪部１２０は、第２爪部１２２よりも幅広に設定されている。
【００３８】
側壁９６ａ，９６ｂ間に位置する空間Ｓは、第１爪部１２０が挿入可能な幅寸法を有して形成される。空間Ｓの奥側に位置する連結部１１０と底板１０８との間の隙間は、第１爪部１２０の先端部が挿入可能であり、連結部１１０の底板１０８と対向する面が第１爪部１２０の先端部と当接可能に形成されている。
【００３９】
各雌端子収容室６８ａ，６８ｂのレール部１０２ａ，１０２ｂは、第２爪部１２２が挿入可能な幅寸法を有して形成される。レール部１０２ａ，１０２ｂの奥側の上方には、それぞれ、ランス１００ａ，１００ｂの前端部から前方へ突出する突起部１２４ａ，１２４ｂが設けられる。突起部１２４ａ，１２４ｂは、それぞれ、レール部１０２ａ，１０２ｂに沿って挿入された第２爪部１２２の先端上面が当接可能に形成されている。
【００４０】
次に、雌コネクタ１４に係止された雌端子２２の係止解除作業について説明する。係止解除治具１１４は、図５の矢印に示すように、第１爪部１２０が空間Ｓに挿入されるとともに、第２爪部１２２がレール部１０２ａに沿って挿入される。これにより、係止解除治具１１４は、図８に示すように、連結部１１０と底板１０８との隙間に、第１爪部１２０の先端部が挿入され、突起部１２４ａとレール部１０２ａとの隙間に、第２爪部１２２の先端部が挿入される。
【００４１】
続いて、底板１０８と対向する連結部１１０の下面に第１爪部１２０の先端部が当接するように、係止解除治具１１４を傾ける。これにより、係止解除治具１１４は、第１爪部１２０の連結部１１０と当接する先端部が作用点となり、第１爪部１２０の底板１０８と当接する基端部が支点となって、梃子の原理によって、連結部１１０が簡単に持ち上げられる。
【００４２】
このようにして連結部１１０が持ち上げられると、両側壁９６ａ，９６ｂのアーム１０６ａ，１０６ｂは、それぞれ連結部１１０と連動して持ち上げられ、各アーム１０６ａ，１０６ｂに支持されたランス１００ａ，１００ｂがそれぞれ天井側へ変位する。これにより、連結部１１０を持ち上げる１回の操作で、隣り合う端子収容室６８ａ，６８ｂにそれぞれ収容された雌端子２２のランス１００ａ，１００ｂによる係止が解除され、２本の雌端子２２を引き抜くことができる。そのため、端子収容室６８ａ，６８ｂから雌端子２２を引き抜く作業を短縮することができる。
【００４３】
また、本実施形態の場合、係止解除治具１１４は、第１爪部１２０の傾きに合わせて、第２爪部１２２の先端部が突起部１２４ａと当接する。そのため、係止解除治具１１４は、第２爪部１２２の先端部が作用点となり、第２爪部１２２のレール部１０２ａと当接する基端部が支点となって、梃子の原理が作用することにより、ランス１００ａをアーム１０６ａと反対側の幅方向の外側からも、持ち上げることができる。これにより、ランス１００ａをバランスよく持ち上げることができる。
【００４４】
なお、係止解除治具１１４は、第２爪部１２２をレール部１０２ａに沿って挿入しているが、レール部１０２ｂに沿って挿入するように構成することもできる。また、係止解除治具１１４は、少なくとも連結部１１０を持ち上げることができれば、２本の雌端子２２の係止状態を同時に解除できるので、第１爪部１２０を有していれば、第２爪部１２２を省略することもできる。これにより、係止解除治具１１４の構成が簡単になるため、汎用の治具を用いることができる。
【００４５】
また、本実施形態では、隣り合う雌端子収容室６８ａ，６８ｂを仕切る側壁９６ａ，９６ｂの間に位置する空間Ｓに第１爪部１２０を挿入するだけで、２本の雌端子２２の係止状態を同時に解除することができるから、係止解除構造全体が簡単化され、雌コネクタ１４の小型化が可能になる。なお、本実施形態では、第２爪部１２２が挿入されるレール部１０２ａ，１０２ｂを雌ハウジング１８の内部に設けているが、これらのレール部１０２ａ，１０２ｂは、雌端子収容室６８ａ，６８ｂに収容された雌端子２２と雌ハウジング１８の内周面との隙間の空間を利用して設けているため、雌コネクタ１４の大きさに影響するものではない。
【００４６】
以上、本発明が適用される実施形態について説明したが、これは代表的な例に過ぎず、本発明は、その趣旨を逸脱することのない範囲で様々な形態で実施することができる。
【００４７】
例えば、本実施形態では、各側壁９６ａ，９６ｂにスリット１０４ａ，１０４ｂを形成することによって、スリット１０４ａ，１０４ｂの上方にアーム１０６ａ，１０６ｂを形成する例を説明したが、アーム１０６ａ，１０６ｂは、スリット１０４ａ，１０４ｂに代えて、例えば、各側壁９６ａ，９６ｂの後端部から後方（奥側）へ片持ち状に突出する突出部によって代用することもできる。
【符号の説明】
【００４８】
１０  防水コネクタ
１４  雌コネクタ（コネクタ）
１８  雌ハウジング（コネクタハウジング）
２２  雌端子（端子）
２６  電線
６８ａ，６８ｂ  雌端子収容室（端子収容室）
９６ａ  側壁（一方の側壁）
９６ｂ  側壁（他方の側壁）
Ｓ  空間
１００ａ，１００ｂ  ランス
１０４ａ，１０４ｂ  スリット
１０６ａ，１０６ｂ  アーム
１０８  底板
１１０  連結部
１１２ａ，１１２ｂ  リブ
１１４  係止解除治具
【図１】
0006307529.tif 000002
【図２】
0006307529.tif 000003
【図３】
0006307529.tif 000004
【図４】
0006307529.tif 000005
【図５】
0006307529.tif 000006
【図６】
0006307529.tif 000007
【図７】
0006307529.tif 000008
【図８】
0006307529.tif 000009